(57)【要約】【課題】  開封用ラベルに必要なコストが安価になる包装機、およびラベル貼付装置の提供。【解決手段】  包装用フィルムが送出される途中で包装用フィルムの送出方向において所定間隔ごとに開封用切込を形成する切込形成部と、開封ラベルテープを折曲加工する折曲加工部と、開封ラベルテープを開封用切込が形成された領域に貼付される開封用ラベルとして適切な長さとなるよう切断する切断部と、開封用ラベルを包装用フィルムにおける開封用切込が形成された領域に貼付する貼付部とを備え、開封ラベルテープは、表面を非粘着面とし裏面全面を粘着面とした粘着テープであり、折曲加工部は、テープロールから送出された開封ラベルテープを、その幅の半分に至らない幅方向一方側の領域で粘着面に対して折曲げるよう構成されたラベル貼付装置、およびこのラベル貼付装置を備えた包装機。【選択図】  図３
2016204026.tif 000002
【特許請求の範囲】
【請求項１】
被包装物を包装用フィルムで包装する包装機であって、
フィルムロールから包装用フィルムが送出される途中で包装用フィルムの送出方向において所定間隔ごとに開封用切込を形成する切込形成部と、
開封ラベルテープのテープロールから送出された開封ラベルテープを折曲加工する折曲加工部と、
送出された開封ラベルテープを開封用切込が形成された領域に貼付される開封用ラベルとして適切な長さとなるよう切断する切断部と、
開封用ラベルを包装用フィルムにおける開封用切込が形成された領域に貼付する貼付部とを備え、
前記開封ラベルテープは、表面を非粘着面とし裏面全面を粘着面とした粘着テープであり、
前記折曲加工部は、テープロールから送出された開封ラベルテープを、その幅の半分に至らない幅方向一方側の領域で粘着面に対して折曲げるよう構成されたことを特徴とする包装機。
【請求項２】
前記折曲加工部は、開封ラベルテープをその非粘着面で送出方向へ案内する案内部と、
該案内部により案内される開封ラベルテープの半分の幅に至らない幅方向一方側の領域を、粘着面どうしが近付くように幅方向他方側へ向けて立上げさせる立上部と、
該立上部で立上げられた開封ラベルテープの幅方向一方側を、開封ラベルテープの粘着面どうしを重ねるように折曲げる折曲部とを備えている請求項１に記載の包装機。
【請求項３】
前記案内部は開封ラベルテープを摺動させる板状部材を備え、前記立上部は、板状部材上にあって、立上げられた開封ラベルテープの幅方向一方側の領域を介して対向する一対の対向部材を備えた請求項２に記載の包装機。
【請求項４】
前記折曲部は、立上部で立上げられた開封ラベルテープの幅方向一方側を、送出方向下流側ほど順次粘着面どうし近付かせる傾倒部材を備えた請求項２または請求項３に記載の包装機。
【請求項５】
開封ラベルテープのテープロールから送出された開封ラベルテープを折曲加工する折曲加工部と、
送出された開封ラベルテープを開封用切込が形成された領域に貼付される開封用ラベルとして適切な長さとなるよう切断する切断部と、
開封用ラベルを包装用フィルムにおける開封用切込が形成された領域に貼付する貼付部とを備え、
前記開封ラベルテープは、表面を非粘着面とし裏面全面を粘着面とした粘着テープであり、
前記折曲加工部は、テープロールから送出された開封ラベルテープを、その幅の半分に至らない幅方向一方側の領域で粘着面に対して折曲げるよう構成されたことを特徴とするラベル貼付装置。
【発明の詳細な説明】
【技術分野】
【０００１】
本発明は、包装機、および包装用フィルムに開封用ラベルを貼付するためのラベル貼付装置に関する。
【背景技術】
【０００２】
下記特許文献１には包装機が記載されており、この包装機は、所定位置に開封用切込みが形成された包装用フィルムの開封用切込部分に開封用ラベルを貼付できるよう構成されている。
【０００３】
特許文献１の包装機では、開封用ラベルは供給ロールから供給される。供給ロールはテープ基材を捲回してなり、テープ基材には、片面の一部に粘着剤を塗設し他部には粘着剤を塗設していない開封用ラベルが、一定間隔で着脱自在に貼付されてなる。そしてテープ基材が、略へら状のラベル貼付支持部部材の先端部を通過することにより、開封用ラベルがテープ基材から一枚ずつ剥離されて、供給されてきた包装用フィルムに形成された開封用切込部分を覆うように貼付される。
【先行技術文献】
【特許文献】
【０００４】
【特許文献１】特許第２７４４１８６号公報
【発明の概要】
【発明が解決しようとする課題】
【０００５】
特許文献１の包装機は、片面の一部に粘着剤を塗設し他部には粘着剤を塗設していない開封用ラベルを、ラベル貼付支持部部材を用いて剥離させるよう構成されている。しかしながら、片面の一部に粘着剤を塗設し他部には粘着剤を塗設していないタイプの開封用ラベルは、離型紙とラベルとから構成されるから高価である。このため、安価な開封用ラベルを扱いつつ被包装物を包装することのできる包装機の出現が望まれていた。
【０００６】
本発明はかかる事情に鑑み、開封用ラベルに必要なコストが安価になる包装機、およびラベル貼付装置の提供を課題とする。
【課題を解決するための手段】
【０００７】
本発明は、被包装物を包装用フィルムで包装する包装機であって、フィルムロールから包装用フィルムが送出される途中で包装用フィルムの送出方向において所定間隔ごとに開封用切込を形成する切込形成部と、開封ラベルテープのテープロールから送出された開封ラベルテープを折曲加工する折曲加工部と、送出された開封ラベルテープを開封用切込が形成された領域に貼付される開封用ラベルとして適切な長さとなるよう切断する切断部と、開封用ラベルを包装用フィルムにおける開封用切込が形成された領域に貼付する貼付部とを備え、前記開封ラベルテープは、表面を非粘着面とし裏面全面を粘着面とした粘着テープであり、前記折曲加工部は、テープロールから送出された開封ラベルテープを、その幅の半分に至らない幅方向一方側の領域で粘着面に対して折曲げるよう構成されたことを特徴としている。
【０００８】
上記構成の包装機では、切込形成部によって、フィルムロールから包装用フィルムが送出される途中で包装用フィルムの送出方向において所定間隔ごとに開封用切込が形成され、折曲加工部によって、テープロールから送出された開封ラベルテープを、その幅の半分に至らない幅方向一方側の領域で粘着面に対して折曲加工され、切断部によって、送出された開封ラベルテープが包装用フィルムにおける開封用切込を形成した領域に貼付される開封用ラベルとして適切な長さとなるよう切断され、貼付部によって、開封用ラベルが開封用切込の領域に貼付された状態で、被包装物が包装用フィルムで包装される。
【０００９】
また、上記構成の包装機では、テープロールから送出された開封ラベルテープが、その幅の半分に至らない幅方向一方側の領域で粘着面に対して折曲加工された後に切断されることで開封用ラベルとなり、前記領域は開封用ラベルを摘む際の把手として用いることができるから、包装用フィルムを開封する際に開封用ラベルを摘み易く、包装用フィルムが開封し易くなり、開封用ラベルは、粘着テープをその幅の半分に至らない幅方向一方側の領域で粘着面に対して折曲加工してなるので、安価である。
【００１０】
本発明の包装機では、前記折曲加工部は、開封ラベルテープをその非粘着面で送出方向へ案内する案内部と、該案内部により案内される開封ラベルテープの半分の幅に至らない幅方向一方側の領域を、粘着面どうしが近付くように幅方向他方側へ向けて立上げさせる立上部と、該立上部で立上げられた開封ラベルテープの幅方向一方側を、開封ラベルテープの粘着面どうしを重ねるように折曲げる折曲部とを備えた構成を採用できる。
【００１１】
上記構成の包装機では、折曲加工部の案内部により、開封ラベルテープはその非粘着面で送出方向へ案内され、立上部により、案内部によって案内される開封ラベルテープの半分の幅に至らない幅方向一方側の領域が、粘着面どうしを近付けさせるように幅方向他方側へ向けて立上げられ、折曲部により、立上部で立上げられた開封ラベルテープの幅方向一方側が、開封ラベルテープの粘着面どうしを重ねるように折曲げられる。このようにすれば粘着テープである開封用テープに無理な力をかけることなく円滑に折曲げることができる。
【００１２】
本発明の包装機では、前記案内部は開封ラベルテープを摺動させる板状部材を備え、前記立上部は、板状部材上にあって、立上げられた開封ラベルテープの幅方向一方側の領域を介して対向する一対の対向部材を備えた構成を採用できる。
【００１３】
上記構成の包装機では、板状部材を摺動する開封ラベルテープの幅方向一方側の領域が、一対の対向部材の間を通過することで、開封ラベルテープの立上げ状態が確保されるから、粘着テープである開封用テープに無理な力をかけることなく円滑に折曲げることができる。
【００１４】
本発明の包装機では、前記折曲部は、立上部で立上げられた開封ラベルテープの幅方向一方側の領域を、送出方向下流側ほど順次粘着面どうし近付かせる傾倒部材を備えた構成を採用できる。
【００１５】
上記構成の包装機では、立上部で立上げられた開封ラベルテープの幅方向一方側の領域は、折曲部の傾倒部材により送出方向下流側ほど順次粘着面どうし、無理なく近付くよう折曲される。
【００１６】
本発明のラベル貼付装置は、開封ラベルテープのテープロールから送出された開封ラベルテープを折曲加工する折曲加工部と、送出された開封ラベルテープを開封用切込が形成された領域に貼付される開封用ラベルとして適切な長さとなるよう切断する切断部と、開封用ラベルを包装用フィルムにおける開封用切込が形成された領域に貼付する貼付部とを備え、前記開封ラベルテープは、表面を非粘着面とし裏面全面を粘着面とした粘着テープであり、前記折曲加工部は、テープロールから送出された開封ラベルテープを、その幅の半分に至らない幅方向一方側の領域で粘着面に対して折曲げるよう構成されたことを特徴としている。
【００１７】
上記構成のラベル貼付装置では、切込形成部によって、フィルムロールから包装用フィルムが送出される途中で包装用フィルムの送出方向において所定間隔ごとに開封用切込が形成され、折曲加工部によって、テープロールから送出された開封ラベルテープを、その幅の半分に至らない幅方向一方側の領域で粘着面に対して折曲加工され、切断部によって、送出された開封ラベルテープが包装用フィルムにおける開封用切込を形成した領域に貼付される開封用ラベルとして適切な長さとなるよう切断され、貼付部によって、開封用ラベルが開封用切込を形成した領域に貼付される。
【００１８】
また、上記構成のラベル貼付装置では、テープロールから送出された開封ラベルテープが、その幅の半分に至らない幅方向一方側の領域で粘着面に対して折曲加工された後に切断されることで開封用ラベルとなり、前記領域は開封用ラベルを摘む際の把手として用いることができるから、包装用フィルムを開封する際に開封用ラベルを摘み易く、包装用フィルムを開封し易く、開封用ラベルは、粘着テープをその幅の半分に至らない幅方向一方側の領域で粘着面に対して折曲加工してなるので、安価である。
【発明の効果】
【００１９】
本発明の包装機およびラベル貼付装置では、開封用ラベルに必要なコストが安価になる。
【図面の簡単な説明】
【００２０】
【図１】本発明の一実施形態に係る包装機の全体構成を表した側面図である。
【図２】同正面図である。
【図３】同平面図である。
【図４】同テープロールの開封ラベルテープが開封用ラベルに加工されて包装用フィルムに貼付されるまでの原理図である。
【図５】同包装体の斜視図である。
【発明を実施するための形態】
【００２１】
以下、本発明に係る包装機を、図１ないし図５を参照しつつ説明する。まず、図１ないし図３を参照しつつ、包装機１の全体構成を説明する。本実施形態における包装機１は、切込形成部２と、折曲加工部３と、切断部４と、貼付部５とを備えている。切込形成部２、折曲加工部３、切断部４、および貼付部５により、ラベル貼付装置が構成される。このラベル貼付装置は、ユニット化されており、包装機１に着脱自在とされている。本実施形態における包装機１は、シュリンク包装機であり、ラベル貼付装置は、包装機１を構成する一部として交換が可能である。
【００２２】
なお、包装機１としてラベル貼付装置の他に、包装用フィルム７を筒状に形作るための後述するホーマ６０や、包装用フィルム７で被包装物９を包んだ後に包装用フィルム７を被包装物９ごとに溶断する刃物、シュリンクトンネル等を備えている。
【００２３】
切込形成部２は、フィルムロール６からシュリンクフィルムである包装用フィルム７が送出される途中で包装用フィルム７の送出方向において所定間隔ごとに、図２に示す開封用切込（以下、単に「切込」と称する）８を形成するための構成を備えている。この切込８は、被包装物９（図５参照）をシュリンク包装した後に、包装体１０を開封するきっかけとなる部分である。
【００２４】
折曲加工部３は、開封ラベルテープ１１のテープロール１２から送出された開封ラベルテープ１１を折曲加工するための構成を備えている。切断部４は、送出された開封ラベルテープ１１を切込８が形成された領域に貼付される開封用ラベル１３として適切な長さとなるよう切断するための構成を備えている。貼付部５は、開封用ラベル１３を包装用フィルム７における切込８が形成された領域に貼付するための構成を備えている。
【００２５】
切込形成部２について説明する。切込形成部２は、フィルムロール６から送出される包装用フィルム７の送出経路の途中に配置されている。すなわち、フィルムロール６に対して送出方向下流側で、且つ貼付部５に対して送出方向上流側に配置されている。
【００２６】
切込形成部２は、包装用フィルム７をその一方面である表面と、他方面である裏面とで挟むことで、包装用フィルム７の移動力に連動して移動する切込刃１４および受台１５を備えている。切込刃１４は包装用フィルム７の表面側に配置され、受台１５は包装用フィルム７の裏面側に配置されている。
【００２７】
切込刃１４は、刃支持部１６に上下動可能に支持されている。刃支持部１６は、先端に切込刃１４を取付けた切込刃用シリンダ装置１７を備えている。切込刃１４は、切込刃用シリンダ装置１７の伸縮に伴い、上下動させられる。切込刃１４は、上方位置にある場合では外筒部材１８に内装されている。切込刃１４は、切込刃用シリンダ装置１７が伸長することにより、外筒部材１８とともに下動し、外筒部材１８に対して下方へ飛び出すように移動する。なお、切込刃１４の本体の先端部が包装用フィルム７に切込８を形成する部分であり、先端部は斜めにカットされている。
【００２８】
受台１５は、受台支持部１９に支持台２０を介して支持されている。受台１５は切込刃１４と常時的に上下方向で対向した位置に配置されている。受台１５は切込刃１４が挿入可能な挿入凹部２１を備えている。外筒部材１８および切込刃１４は、包装用フィルム７に対して接離可能である一方、受台１５は上下動することなく、水平方向のみに往復動可能とされている。受台１５の上端面１５ａは、包装用フィルム７の裏面に常時的に接触する。すなわち、包装用フィルム７は、受台１５の上端面１５ａを摺動するように送出される。
【００２９】
受台支持部１９は、受台１５を水平方向に往復動可能に案内する案内部材２２（ガイドバー）を備えている。受台支持部１９は、受台１５の位置を一方側（送出方向上流側）で規制する一方側壁２３を、支持台２０の一方側に備えている。受台支持部１９は、受台１５を一方側に付勢するばね（付勢手段）２４を備えている。ばね２４は、受台１５の側部と受台支持部１９の支持台２０に設けた他方側壁２５との間に配置されている。受台支持部１９は、受台１５の他方側への移動量を規制するための規制部材２６（杆状部材）を備え、規制部材２６は他方側壁２５に、水平方向に貫通され、横方向の位置を調整できるよう構成されている。
ている。
【００３０】
受台支持部１９の支持台２０と刃支持部１６とは、連結部材２７によって上下方向で連結されている。支持台２０と刃支持部１６とが連結部材２７で連結されていることにより、切込刃１４と受台１５とは水平方向に同期して往復動可能に構成されている。
【００３１】
切込形成部２では、包装用フィルム７が、フィルムロール６の下流側において引出される力で、複数のローラＲ１によりテンションを与えられつつ送出されている場合に、包装用フィルム７の送出方向への送出力を用いて、包装用フィルム７に対し、送出方向の所定間隔ごとに、切込８を形成するようになっている。
【００３２】
すなわち、切込刃用シリンダ装置１７が伸長して外筒部材１８および切込刃１４が下方へ向けて移動し、外筒部材１８の下端面１８ａが包装用フィルム７の表面に当接すると、包装用フィルム７は外筒部材１８の下端面１８ａと受台１５の上端面１５ａとで挟持される。この際、外筒部材１８の下端面１８ａは受台１５の上端面１５ａとの間で、包装用フィルム７を強く挟持する。
【００３３】
外筒部材１８の下端面１８ａは受台１５の上端面１５ａとの間で、包装用フィルム７を強く挟持すると、包装用フィルム７が引出駆動される力が外筒部材１８および受台１５に伝達される。そして、支持台２０と刃支持部１６とは、連結部材２７によって上下方向で連結されているから、外筒部材１８および受台１５は、ばね２４の弾性力に抗して、送出方向下流側へ移動する。
【００３４】
外筒部材１８および受台１５が送出方向下流側へ移動している際に、切込刃１４が外筒部材１８から突出して、包装用フィルム７の所定位置に、切込８が形成される。外筒部材１８および受台１５が必要なストロークだけ水平方向（送出方向下流側）へ移動すると、切込刃用シリンダ装置１７が縮んで、外筒部材１８および切込刃１４が包装用フィルム７から上方へ離脱する。
【００３５】
そうなると、外筒部材１８および受台１５は、包装用フィルム７の送出力を受けなくなるから、ばね２４の弾性により、支持台２０および刃支持部１６は、切込刃１４が包装用フィルム７から離脱した状態で、送出方向一方側（上流側）へ移動する。なお、外筒部材１８および受台１５が必要なストロークだけ移動したことは、例えば近接スイッチなどにより検出される。必要なストロークとは、切込刃１４が外筒部材１８から突出して切込８を形成するのに必要な時間に対応する距離である。
【００３６】
上記動作を、予め設定された所定位置において切込８を形成するよう、切込形成部２が動作する。このように、切込形成部２では、包装用フィルム７が、フィルムロール６の下流側へ引出される力で送出されている場合に、包装用フィルム７の送出方向への送出力を用いて、包装用フィルム７に対し、送出方向の所定間隔ごとに切込８を形成するものであることから、駆動力としては切込刃用シリンダ装置１７というアクチュエータのみの駆動力で、包装用フィルム７に切込８を形成することができる。
【００３７】
次に、折曲加工部３について説明する。本実施形態における折曲加工部３は、テープロール１２から送出された、開封用ラベル１３となる開封ラベルテープ１１を、その幅の半分に至らない幅方向一方側の領域（以下、単に「一方側領域」と称する）２８で粘着面１１ａに対して折曲げることができるよう構成されている。なお、この場合、開封ラベルテープ１１は、表面を非粘着面とし裏面全面を粘着面とした粘着テープである。
【００３８】
開封ラベルテープ１１の幅の半分に至らない一方側領域２８とは、開封ラベルテープ１１を開封用ラベル１３に加工した際に、開封用の摘みが形成でき、開封用ラベル１３全体として、切込８を覆うことのできる領域である。
【００３９】
折曲加工部３は、図２および図３に示すように、開封ラベルテープ１１を回転自在に保持する保持部２９と、保持部２９に対し、その上方にあって、開封ラベルテープ１１をその非粘着面（図において下側の面）で送出方向へ案内する案内部３０と、案内部３０により案内される開封ラベルテープ１１の半分の幅に至らない一方側領域２８を、粘着面１１ａどうしが近付くように幅方向他方側へ向けて立上げさせる立上部３１と、立上部３１で立上げられた開封ラベルテープ１１の幅方向一方側を、開封ラベルテープ１１の粘着面１１ａどうしを重ねるように折曲げる折曲部３２とを備えている。
【００４０】
案内部３０は、開封ラベルテープ１１の送出方向上流側に配置された幅広部材３３と、幅広部材３３に対して送出方向下流側に隣接するよう配置された幅狭部材３４とを備える。幅広部材３３および幅狭部材３４は、ともに上面を水平面とした板状に形成された板状部材である。幅広部材３３および幅狭部材３４の上面は面一とされ、送出方向に並べられて両部材の上面に、開封ラベルテープ１１の非粘着面が送出方向へ案内される。案内部３０において開封ラベルテープ１１を送出案内する方向は、包装用フィルム７の送出方向に対し水平面において略直交する方向である。
【００４１】
幅広部材３３の幅は、開封ラベルテープ１１の幅より大きく設定されている。幅狭部材３４の幅方向一方側辺は、幅広部材３３の幅方向一方側辺に対して幅方向他方側へ位置ずれして配置されている。
【００４２】
立上部３１は、立上げられた開封ラベルテープ１１の一方側領域２８を介して対向する、一対の対向部材を備えている。立上部３１は、板状部材のうち、幅狭部材３４の上面において送出方向上流側寄りの幅方向一方側寄りに配置されている。すなわち、立上部３１は、幅狭部材３４の幅方向一方側寄りに立設されたガイド板３５（一方の対向部材）と、ガイド板３５に対して開封ラベルテープ１１の幅方向で対向する癖付ローラ３６（他方の対向部材）とを備える。
【００４３】
ガイド板３５は、幅狭部材３４に固定されている。ガイド板３５は、送出方向上流側から送出方向上流側へ向けて次第に高さを高くする漸高部３７と、漸高部３７に対して送出方向下流側に連続し一定高さとされた定高部３８とを備える。癖付ローラ３６は、幅狭部材３４の幅方向一方側の側面に固定された取付ブラケット３９を介して取付けられている。癖付ローラ３６は、送出方向と直交する水平面に沿う横軸部材３６ａ回りに回転自在とされている。
【００４４】
癖付ローラ３６は、立上げられた開封ラベルテープ１１の立上基端に折目が形成されされる程度に癖付けるためのもので、癖付ローラ３６の外周面は、幅方向他方側に比べて幅方向一方側が大径となるよう形成されており、幅方向一方側端の外周はエッジ状に形成されている。癖付ローラ３６の幅方向一方側端の外周は、送出されている開封ラベルテープ１１の粘着面１１ａに接触して、開封ラベルテープ１１の送出移動とともに、横軸部材３６ａ回りに回転する。
【００４５】
癖付ローラ３６は、ガイド板３５に対向して配置されており、癖付ローラ３６の幅方向一方側端の外周が開封ラベルテープ１１の粘着面１１ａに接触して、開封ラベルテープ１１の送出移動とともに、横軸部材３６ａ回りに回転することで、立上げられた開封ラベルテープ１１の立上基端が癖付けられる。
【００４６】
折曲部３２は、一対の対向部材に対して送出方向下流側に配置されている。折曲部３２は、一対の対向部材の間を通過してきた一方側領域２８を次第に粘着面１１ａへ近付けるように折る折片（傾倒部材に相当する）を、一対の対向部材に対して送出方向下流側に備えている。折片は複数設けられており、送出方向上流側から送出方向下流側へ向けて第一折片４０、第二折片４１、および第三折片４２の順に配置されている。
【００４７】
各折片は、幅狭部材３４の幅方向一方側端に固定される固定片４３と、固定片４３の上端に一体的に形成されて、固定片４３に対して幅狭部材３４の上面へ向けて傾斜する傾斜片４４とを備える。折片において、傾斜片４４の傾斜角度は、第一折片４０、第二折片４１、および第三折片４２の順に幅狭部材３４の上面へ向けて急峻に傾斜するよう構成されている。
【００４８】
折曲部３２は、折片に対して送出方向下流側に配置された押えローラをさらに備えている。押えローラは、上下方向で対向して配置された上ローラ４５および下ローラ４６を備えている。上ローラ４５および下ローラ４６は、それぞれ前記横軸部材３６ａと平行な別の横軸部材４５ａ，４６ａ回りに回転可能に支持されている。上ローラ４５は駆動ローラであり、下ローラ４６とで開封ラベルテープ１１を挟んで、駆動モータ４５Ａの駆動により、開封ラベルテープ１１を送出させる。
【００４９】
上ローラ４５および下ローラ４６は、開封ラベルテープ１１の一方側領域２８のみではなく、開封ラベルテープ１１全体を上下方向から挟み込んで、一方側領域２８を開封ラベルテープ１１の粘着面に接触させるよう構成されている。
【００５０】
上記構成の折曲加工部３では、案内部３０により、開封ラベルテープ１１はその非粘着面で送出方向へ案内され、案内部３０によって案内される開封ラベルテープ１１の、半分の幅に至らない一方側領域２８が、立上部３１のガイド板３５により、粘着面１１ａどうしを近付けさせるように幅方向他方側へ向けて立上げられる。
【００５１】
一方側領域２８は、ガイド板３５と癖付ローラ３６との間を通過する際、癖付ローラ３６の幅方向一方側端の外周によって、立上げられた開封ラベルテープ１１の一方側領域２８における立上基端が癖付けられ、続いて一方側領域２８は、折曲部３２の第一折片４０、第二折片４１、および第三折片４２によって、送出方向下流側ほど粘着面１１ａに近付けられ、開封ラベルテープ１１が上ローラ４５および下ローラ４６で挟み込まれて一方側領域２８が粘着面１１ａに貼着される。
【００５２】
このように、開封ラベルテープ１１は、立上部３１のガイド板３５による変形、癖付ローラ３６による立上基端の癖付け、折片による粘着面１１ａ方向への押え、および上ローラ４５および下ローラ４６での挟み込みというように、その一方側領域２８が急激に折曲げられるのではなく、順次粘着面１１ａに近付けられて粘着面１１ａに貼着される。このため、一方側領域２８に無理な力を付与することなく、一方側領域２８を粘着面１１ａに貼着させることができる。
【００５３】
次に、切断部４について説明する。切断部４は、折曲加工部３に対して開封ラベルテープ１１の送出方向下流側に配置されている。切断部４は、吸着部４７と、切断刃４８と、切断刃駆動部４９とを備える。
【００５４】
吸着部４７は、吸着ドラム５０と、押えローラ５１とを備えている。吸着ドラム５０は、内部を空間とした円柱状のドラム本体５２を備えている。ドラム本体５２は、切込形成部２で切込８が形成される包装用フィルム７の送出方向に沿った横軸部材５２ａ回りに回転自在に支持されている。
【００５５】
切断部４は、横軸部材５２ａを回転させるための回転駆動部５３を備えている。押えローラ５１は、開封ラベルテープ１１をドラム本体５２との間で、上方から押えるものであり、レバー（符合省略）の操作により、ドラム本体５２の外周面に対して接近離間自在に構成されている。
【００５６】
吸着部４７は、ドラム本体５２の内部を負圧にする吸引手段（図示せず）を備えている。ドラム本体５２の外周面には、内部空間と連通する吸着孔５５が周方向および軸方向に所定間隔ごとに形成されている。ドラム本体５２の外周面には、周方向所定間隔ごとに、軸方向に亘る溝５６が形成されている。溝５６が形成されている間隔は、包装用フィルム７に形成された切込８を含むように包装用フィルム７に貼付される開封用ラベル１３のサイズに略一致する。
【００５７】
切断刃４８は、ドラム本体５２の外周面に形成された溝５６に入り込んでドラム本体５２の外周面に吸着された開封ラベルテープ１１を、溝５６の間隔ごとに切断して開封用ラベル１３とするよう、先端を鋭利に形成した板状に形成されている。切断刃４８は、アクチュエータであるシリンダ装置５７の先端に取付けられ、溝５６に接近離間するよう構成されている。切断刃４８は、ドラム本体５２の上下方向高さの中間位置に対応するよう配置されている。
【００５８】
切断部４では、折曲加工部３において一方側領域２８が折曲された開封ラベルテープ１１が順次ドラム本体５２の外周面に掛けられるようにして吸着され、吸着された開封ラベルテープ１１は、切断刃４８が溝５６に入り込むことで、開封用ラベル１３のサイズに切断される。
【００５９】
折曲加工部３を通り送出方向下流側に送出されてきた開封ラベルテープ１１は、ドラム本体５２の下側位置で送出方向下流側に送出される。開封ラベルテープ１１は、折曲加工部３では、粘着面１１ａを上にして送出されて、貼付部５において、ドラム本体５２に吸引されてドラム本体５２とともに回転することで、粘着面１１ａが下になるよう反転される。
【００６０】
貼付部５は、切断部４の下側に配置されている。貼付部５は、押圧ローラ５８と、押圧ローラ５８を上方へ向けて押し上げる押上機構５９とを備える。押圧ローラ５８は、切断部４のドラム本体５２の周方向中心（ドラム本体５２の直下）に対応する位置に配置されている。押上機構５９は、例えばシリンダ装置であり、そのロッドの先端に押圧ローラ５８が取付けられている。
【００６１】
押上機構５９が駆動する（シリンダ装置が伸長する）と、押圧ローラ５８の外周面が包装用フィルム７を下方から上方へ向けて押上げ、ドラム本体５２の外周面に非粘着面側で吸引されて切断されてなる開封用ラベル１３は、ドラム本体５２の外周面と押圧ローラ５８の外周面とで、包装用フィルム７を介して押圧されて、粘着面１１ａが包装用フィルム７の切込８が形成された領域に、切込８を覆うように貼付される。したがって、押圧ローラ５８はドラム本体５２の回転に対して間欠的に上方へ移動することで、開封用ラベル１３を包装用フィルム７に貼付する。
【００６２】
開封用ラベル１３が貼付された包装用フィルム７は、複数のローラＲ２でテンションを受けつつ、送出方向下流側へ送出され、一般的な構成を備えたホーマ６０で袋状に形作られつつ、袋状になった包装用フィルム７に後方から被包装物９が投入され、図５に示すように包装される。
【００６３】
本発明の実施形態における包装機１では、切込形成部２と、折曲加工部３と、切断部４と、貼付部５とを備えている。この包装機１では、切込形成部２によって、フィルムロール６から包装用フィルム７を送出する途中で包装用フィルム７の送出方向において所定間隔ごとに切込８を形成し、折曲加工部３によって、テープロール１２から送出された開封ラベルテープ１１を、その幅の半分に至らない幅方向一方側の領域で粘着面１１ａに対して折曲加工し、切断部４によって、送出された開封ラベルテープ１１を包装用フィルム７における切込８を形成した領域に貼付される開封用ラベル１３として適切な長さとなるよう切断し、貼付部５によって、開封用ラベル１３を切込８の領域に貼付し、被包装物９を包装用フィルム７で包装する。
【００６４】
そして、テープロール１２から送出された開封ラベルテープ１１が、その幅の半分に至らない幅方向一方側の領域で粘着面１１ａに対して折曲加工された後に切断されることで開封用ラベル１３となり、前記領域は開封用ラベル１３を摘む際の把手として用いることができるから、包装用フィルム７を開封する際に開封用ラベル１３を摘み易く、したがって、包装用フィルム７を開封し易くなる。そして、開封用ラベル１３は、粘着テープをその幅の半分に至らない幅方向一方側の領域で粘着面１１ａに対して折曲加工してなるので、安価である。
【００６５】
また、切込形成部２、折曲加工部３、切断部４、および貼付部５について、切込形成部２および切断部４を包装用フィルム７の送出方向に並べて貼付部５を切断部４の下方に配置し、切断部４および折曲加工部３を、包装用フィルム７の送出方向と略直交する方向を送出方向とする開封ラベルテープ１１の送出方向に並べた構成により、ラベル貼付装置全体としてコンパクト化を実現できる配置となっている。
【００６６】
本発明は上記実施形態に限られるものではなく、本発明の主旨を逸脱しない範囲で種々変形が可能である。その他、各部の具体的構成についても同様である。一例として、切込形成部２の構成は、上記実施形態に限定されず、例えば、上記実施形態では、包装用フィルム７が移動する力を用いたが、切込形成部２に、切込刃１４および受台１５を包装用フィルム７とともに移動させる駆動部を設けて、包装用フィルム７に切込８を形成することができる。また、切込刃１４の駆動はシリンダ装置による構成に限らず、カムの回転を用いて上下動させるものであってもよい。
【００６７】
上記実施形態では、開封ラベルテープ１１をその幅の半分に至らない幅方向一方側の領域で折曲げるようにしたが、包装用フィルム７に形成される切込８の方向に依存して、開封ラベルテープ１１をその幅の半分に至らない幅方向他方側の領域で折曲げるようにする場合もある。
【００６８】
折曲加工部３は、上記実施形態では、折片を第一折片４０、第二折片４１、および第三折片４２としたが、これらを一枚の板から形成して、下流側部分ほど粘着面１１ａに近付けるように傾斜させてもよい。また、ガイド板３５と折片とを一体的に形成することもできる。
【００６９】
切断部４では、上記実施形態では、吸着ドラム５０のドラム本体５２の外周面に、周方向所定間隔ごとに軸方向に亘る溝５６を形成した。しかしながら、吸着ドラム５０を設けず、開封ラベルテープ１１を単に送出方向下流側に送出しつつ切断刃を用いて所定間隔ごとに切断する構成でもよい。
【００７０】
貼付部５は、上記実施形態では、押圧ローラ５８を上方へ向けて間欠的に押し上げる構成を例示した。しかしながら、押圧ローラ５８は常時的に包装用フィルム７を上方へ押圧する構成であってもよい。
【符号の説明】
【００７１】
１…包装機、２…切込形成部、３…折曲加工部、４…切断部、５…貼付部、７…包装用フィルム、８…切込、９…被包装物、１０…包装体、１１…開封ラベルテープ、１１ａ…粘着面、１２…テープロール、１３…開封用ラベル、２８…一方側領域、３０…案内部、３１…立上部、３２…折曲部、３３…幅広部材、３４…幅狭部材、３５…ガイド板、３６…癖付ローラ、３７…漸高部、３８…定高部、４０…第一折片、４１…第二折片、４２…第三折片、４３…固定片、４４…傾斜片、４５…上ローラ、４６…下ローラ
【図１】
2016204026.tif 000003
【図２】
2016204026.tif 000004
【図３】
2016204026.tif 000005
【図４】
2016204026.tif 000006
【図５】
2016204026.tif 000007